(57)【要約】【課題】種々の設置部形状に対応して設置でき、しかも、嵩張らず、設置した場合にも清掃の邪魔にならずに、結露水を外部へ排出することができる窓用結露水受けを提供する。【解決手段】窓下枠２４の室内側に配置されて、窓１９に生じる結露水を受ける窓用結露水受けである。少なくとも、窓下枠２４の室内側の立上片４３の室外側内面４３ａに取付られる取付片部４１と、取付片部４１から室内側に向かって傾斜状に立上る結露水下方案内片部４２とを備える。室内側へ突出する結露水下方案内片部４２が窓下枠２４乃至窓下枠近傍と非接触状となって下方に空間Ｓが設けられる。【選択図】図１
2009013606.tif 000002
【特許請求の範囲】
【請求項１】
窓下枠の室内側に配置されて、窓に生じる結露水を受ける窓用結露水受けであって、
少なくとも、窓下枠の室内側の立上片の室外側内面に取付られる取付片部と、この取付片部から室内側に向かって傾斜状に立上る結露水下方案内片部とを備え、室内側へ突出する結露水下方案内片部が窓下枠乃至窓下枠近傍と非接触状となって下方に空間が設けられることを特徴とする窓用結露水受け。
【請求項２】
前記取付片部に、窓下枠の底内面の少なくとも一部に載置状となる底壁片部を連設したことを特徴とする請求項１の窓用結露水受け。
【請求項３】
前記結露水下方案内片部の上端縁から鉛直方向に立上る立上片部を連設したことを特徴とする請求項１又は請求項２に記載の窓用結露水受け。
【請求項４】
合成樹脂製のシート体が折り曲げ線に沿って折り曲げられてなることを特徴とする請求項１〜請求項３のいずれかに記載の窓用結露水受け。
【請求項５】
結露水下方案内片部の傾斜角度の変更を可能としたことを特徴とする請求項４に記載の窓用結露水受け。
【請求項６】
取付片部を粘着テープを介して窓下枠の室内側の立上片の室外側内面に取付けたことを特徴とする請求項１〜請求項５のいずれかに記載の窓用結露水受け。
【発明の詳細な説明】
【技術分野】
【０００１】
本発明は、窓に発生する結露水を受ける窓用結露水受けに関する。
【背景技術】
【０００２】
窓には、はめ殺し窓（開閉しない窓）、引き違い窓（2枚の障子が左右に開く窓）、開き窓（障子の右か左をつり元(軸)として、外へ開く窓）、回転窓(障子の中心を軸にして回転する窓)、及び上げ下げ窓(障子が上下に動く窓)等に種々の種類がある。
【０００３】
しかしながら、各種窓においては、梅雨時期や冬の結露時期等に結露水が発生する。すなわち、結露は室内の温かい空気が冷たい窓表面に触れることで、空気が冷やされ、同時に水蒸気含有量限度も低下するため、限度を越えて空気中にとどまれなくなった水蒸気が窓表面に水滴（結露水）として現れる。
【０００４】
ところで、窓の結露には室内でいち早く水滴を発生させ、余分な湿度が壁や木材などその他のものに影響するのを防ぐ働きも結果としてある。しかしながら、カビの繁殖やアレルギーの原因、窓枠などの腐食などが発生する。このため、結露水を発生させないようにしたり、発生したとしても直ちに室内から排出したりするのが好ましい。
【０００５】
そこで、従来には、発生する結露水を受けて、カーテン下部や床面等の濡れやカビの発生を防止するための結露水飛散防止受け具がある（特許文献１）。この結露水飛散防止受け具は、窓枠と別体にて構成されて、設置を容易に行えるようにしたものであり、図７に示すように、中空の断面三角形状の本体部１と、この本体部１に連設される係止部２とを備える。
【０００６】
すなわち、本体部１は、底壁３と、この底壁３の一端縁から立上る側壁４と、側壁４の上端と底壁３の他端縁とを連結する湾曲壁５とからなる。湾曲壁５の表面が凹曲面となっている。そして、底壁３を窓台６に載置するとともに、係止部２を窓下枠７に引っ掛けている。係止部２の室内側内面９と窓下枠７の室内側立上片８の室外側外面１０とを粘着テープ１１で固定している。また、この受け具は、窓１２とカーテン１３との間に配置される。
【特許文献１】特開２００５−２８２３２６号公報
【発明の開示】
【発明が解決しようとする課題】
【０００７】
しかしながら、前記特許文献１に記載の結露水飛散防止受け具は、窓台６に載置するものであるので、この受け具が載置されている窓台６の清掃を行うことができず、衛生的に好ましくない。しかも、本体部１を設置する設置場所を確保する必要があり、このような受け具の設置場所が限定される。また、窓とカーテンとの間に配置され、カーテンの下部をこの受け具よりも室内側に配置するようにしている。しかしながら、カーテンの下部を室内側に配置するためには、受け具が大型化してあまり実用的ではない。
【０００８】
本発明は、上記課題に鑑みて、種々の設置部形状に対応して設置でき、しかも、嵩張らず、設置した場合にも清掃の邪魔にならずに、結露水を外部へ排出することができる窓用結露水受けを提供する。
【課題を解決するための手段】
【０００９】
本発明の窓用結露水受けは、窓下枠の室内側に配置されて、窓に生じる結露水を受ける窓用結露水受けであって、少なくとも、窓下枠の室内側の立上片の室外側内面に取付られる取付片部と、この取付片部から室内側に向かって傾斜状に立上る結露水下方案内片部とを備え、室内側へ突出する結露水下方案内片部が窓下枠乃至窓下枠近傍と非接触状となって下方に空間が設けられるものである。
【００１０】
本発明の窓用結露水受けによれば、窓の室内側に生じた結露水は下方に落下する。この際、室内側へ突出する結露水下方案内片部にてこの結露水を受けることができる。結露水はこの結露水下方案内片部に案内されて、取付片部側へ流れる。この取付片部は、窓下枠の室内側の立上片の室外側内面に取付られるので、この取付片部側へ流れた結露水は、窓下枠内に浸入する。
【００１１】
室内側へ突出する結露水下方案内片部が窓下枠乃至窓下枠近傍と非接触状となって下方に空間が設けられているので、前記した従来のように窓台に載置接触する底壁部を有するものではなく、底壁部等の掃除の邪魔となるものがない。
【００１２】
前記取付片部に、窓下枠の底内面の少なくとも一部に載置状となる底壁片部を連設するのが好ましい。これによって、この窓用結露水受けを安定した状態で窓下枠に付設することができる。
【００１３】
前記結露水下方案内片部の上端縁から鉛直方向に立上る立上片部を連設してもよい。これによって、上方から結露水を安定して受けることができる。合成樹脂製のシート体が折り曲げ線に沿って折り曲げられてなるものであってもよい。これによって、この窓用結露水受けの成形が容易となる。結露水下方案内片部の傾斜角度の変更を可能とするのが好ましい。結露水下方案内片部の傾斜角度の変更が可能であれば、角度を変更することによって、窓用結露水受けの厚さ寸法（長手方向と直交する方向の寸法であって、室内外方向寸法）を変更することができる。
【００１４】
取付片部を粘着テープを介して窓下枠の室内側の立上片の室外側内面に取付けるのが好ましい。
【発明の効果】
【００１５】
本発明の窓用結露水受けでは、窓の室内側に生じた結露水は、結露水下方案内片部及び取付片部に案内されて窓下枠内に浸入する。窓下枠内に入った結露水は、窓下枠内から外部へ排出される。このため、窓の室内側に生じた結露水は外部へ排出され、結露水による室内の濡れやカビの発生を防止することができる。
【００１６】
また、室内側へ突出する結露水下方案内片部の下方に空間が設けられているので、窓下枠乃至その近傍の清掃を容易に行うことができ、室内の清潔を維持できる。しかも、既存の窓の窓下枠を変更・改造等を行うことなく、取付片部に窓下枠に取付けるだけでよいので、低コストにかつ容易にこの窓用結露水受けを設置することができる。
【００１７】
前記取付片部に底壁片部を連設することによって、この窓用結露水受けを安定した状態で窓下枠に付設することができ、結露水を安定して受けることができる。
【００１８】
前記結露水下方案内片部にさらに立上片部を連設したものでは、上方からの結露水をより安定して受けることができ、室内側への結露水の飛散防止の信頼性が向上する。しかも、高さ寸法が大となって、窓とこの窓の室内側に配設されるカーテンとの間に安定して配置することができ、カーテン下部への結露水の付着を有効に防止できる。
【００１９】
合成樹脂製のシート体が折り曲げ線に沿って折り曲げられてなるものでは、窓用結露水受けの成形が容易であって、より低コストでの設置が可能となる。しかも、設置の際に、折り曲げればよく、設置前では合成樹脂製のシート体であるので、その取り扱い性に優れる。すなわち、合成樹脂製であるため、軽量であり、シート体であるため、巻設して（丸めて短筒状）にすることによって、コンパクト化が可能となって、取り扱い性に優れる。
【００２０】
結露水下方案内片部の傾斜角度の変更が可能であれば、角度を変更することによって、窓用結露水受けの厚さ寸法（室内外方向寸法）を変更することができ、種々の大きさ、形状の窓、窓近傍の形状等に合わせることができる。
【００２１】
取付片部を粘着テープを介して窓下枠の室内側の立上片の室外側内面に取付けるのが好ましい。これによって、窓用結露水受けの設置作業の簡略化を図ることができる。しかも、取外すことも可能となって、結露水が発生し難い時期（梅雨時期や冬の結露時期等の以外の時期）には取外しておくことができ、窓のシンプル性の向上を図ることができる。
【発明を実施するための最良の形態】
【００２２】
本発明に係る窓用結露水受けの実施形態を図１〜図６に基づいて説明する。
【００２３】
図１と図２は本発明の窓用結露水受けを窓１９に設置（付設）している状態を示す。この場合の窓１９は、例えば、図４に示すように、窓枠２０とこの窓枠にはめ込まれる２枚の障子２１、２２とを備える。窓枠２０は、上枠（窓上枠）２３と、下枠（窓下枠）２４と、一対の側枠（竪枠）２５、２６とからなる。また、障子２１、２２は、矩形枠体２７ａ、２７ｂと、この矩形枠体２７ａ、２７ｂに嵌合されるガラス板２８ａ、２８ｂとからなる。矩形枠体２７ａ、２７ｂは、上框２９，２９と、下框３０，３０と、一対の竪框３１、３２とからなる。
【００２４】
窓枠２０の窓下枠２４に、図１に示すように、障子２１、２２の下部が嵌合する上方開口状の嵌合凹所３３，３４が設けられている。嵌合凹所３３には下外ガイドレール３５が配置され、嵌合凹所３４には下内ガイドレール３６が配置されている。このため、障子２１、２２の下框３０、３０の嵌合凹部３７、３８にそれぞれガイドレール３５、３６が嵌合している。なお、障子２１、２２の下框３０、３０の嵌合凹部３７、３８に、各ガイドレール３５，３６を転動するローラを付設してもよい。
【００２５】
図１では、窓枠２０の窓下枠２４の室外端部に、網戸３９の下部を受ける受け部４８が設けられ、この受け部４８に網戸用ガイドレール４６が配置されている。このため、網戸３９の下部には嵌合凹部４７が設けられ、この嵌合凹部４７に網戸用ガイドレール４６が嵌合している。なお、この網戸３９の嵌合凹部４７に網戸用ガイドレール４６を転動するローラを付設してもよい。
【００２６】
窓枠２０の窓上枠２３には、図示省略するが、窓下枠２４と同様、障子２１、２２の上部が嵌合する下方開口状の嵌合凹所が設けられている。室外側の嵌合凹所には上外ガイドレールが配置され、室内側の嵌合凹所には上内ガイドレールが配置されている。このため、障子２１、２２の上框２９、２９の嵌合凹部にそれぞれガイドレールが嵌合している。
【００２７】
また、窓枠２０の窓上枠２３にも、網戸３９の上部が嵌合する嵌合部が設けられ、この嵌合部に網戸用ガイドレールが配置されている。このため、網戸３９の上部には嵌合凹部が設けられ、この嵌合凹部に網戸用ガイドレールが嵌合している。
【００２８】
このため、各障子２１、２２は各ガイドレールに沿って窓幅方向（室内外方向と直交する方向）にスライドし、網戸３９は網戸用ガイドレールに沿って窓幅方向にスライドすることができる。
【００２９】
本発明に係る窓用結露水受け４０は例えば合成樹脂等からなり、図１に示すように、取付片部４１と、この取付片部４１から室内側に向かって傾斜状に立上る結露水下方案内片部４２とを備える。取付片部４１は、窓上枠２３の室内側の立上片４３の内面４３ａに取付けられる薄肉平板体からなり、結露水下方案内片部４２は取付片部４１の上端縁から延び、その上端部に波型形状部４２ａ（図３参照）が形成された薄肉平板体からなる。
【００３０】
この場合の窓用結露水受け４０は、一枚の合成樹脂製のシート体が折り曲げ線４９（図３参照）に沿って折り曲げられてなるものである。すなわち、平板状のシート体に直線状の溝を形成し、この直線状の溝を折り曲げ線４９として所定角度（前記傾斜角度θ）に折り曲げ、折り曲げくせをつけるようにする。
【００３１】
窓用結露水受け４０は、窓上枠２３の幅方向長さ（室内外方向に直交する方向長さ）と略同一に設定されている。また、図２に示すように、結露水下方案内片部４２の長さ寸法Ｌとしては、前記傾斜角度θ、設置環境等によって種々変更することができる。すなわち、後述するように、この結露水下方案内片部４２にて窓室内側に発生した結露水を受けるものであるので、この結露水を受けることができる範囲で種々変更することができる。
【００３２】
また、取付片部４１と立上片４３とは接合手段４５を介して接合されている。接合手段４５としては、例えば粘着テープ（両面粘着テープ４５ａ）を用いることができる。すなわち、両面粘着テープ４５ａを窓用結露水受け４０の取付片部４１の室内側面４１ａと立上片４３の内面４３ａとの間に介在させることによって、取付片部４１を窓上枠２３の室内側の立上片４３に取付けることができる。このように、本窓用結露水受け４０が窓１９に装着されれば、室内側へ突出する結露水下方案内片部４２の下方に図１に示すように空間Ｓが設けられている。なお、図１に示す実施形態では、取付片部４１の高さ寸法と立上片４３の立上寸法とを略同一に設定しているが、取付片部４１の高さ寸法を立上片４３の立上寸法よりも小さくしてもよい。
【００３３】
ところで、この窓用結露水受け４０は前記したように、一枚の合成樹脂製のシート体を折り曲げ線４９に沿って折り曲げることによって、形成するものであるので、この傾斜角度θを変更することによって、窓用結露水受け４０の室内外方向の厚さ寸法Ｗ（図２参照）を変更することができる。すなわち、傾斜角度θを大きくすれば、厚さ寸法Ｗ（窓用結露水受け長手方向と直交する方向の寸法）が大きくなり、傾斜角度θを小さくすれば、厚さ寸法Ｗが小さくなる。
【００３４】
窓用結露水受け４０を図１に示すように窓１９に装着すれば、窓１９の室内側に生じた結露水が下方に落下した場合、室内側へ突出する結露水下方案内片部４２にてこの結露水を受けることができる。結露水はこの結露水下方案内片部４２に案内されて、取付片部４１側へ流れる。この取付片部４１は、窓下枠２４の室内側の立上片４３の室外側内面４３ａに取付られるので、この取付片部４１側へ流れた結露水は、窓下枠２４内に浸入する。窓下枠２４内に入った結露水は、窓下枠２４内から外部へ排出される。このため、窓１９の室内側に生じた結露水は外部へ排出され、結露水による室内の濡れやカビの発生を防止することができる。
【００３５】
また、室内側へ突出する結露水下方案内片部４２の下方に空間Ｓが設けられているので、窓下枠２４乃至その近傍の清掃を容易に行うことができ、室内の清潔を維持できる。しかも、既存の窓の窓下枠２４を変更・改造等を行うことなく、取付片部４１に窓下枠２４に取付けるだけでよいので、低コストにかつ容易にこの窓用結露水受け４０を設置することができる。
【００３６】
合成樹脂製のシート体が折り曲げ線４９に沿って折り曲げられてなるので、窓用結露水受けの成形が容易であって、より低コストでの設置が可能となる。しかも、設置の際に、折り曲げればよく、設置前では合成樹脂製のシート体であるので、その取り扱い性に優れる。すなわち、合成樹脂製であるため、軽量であり、シート体であるため、巻設して（丸めて）短筒状にすることによって、コンパクト化が可能となって、取り扱い性に優れる。
【００３７】
結露水下方案内片部４２の傾斜角度θの変更が可能であるので、角度θを変更することによって、窓用結露水受け４０の厚さ寸法（長手方向と直交する方向の寸法であって、室内外方向寸法）Ｗを変更することができ、種々の大きさ、形状の窓、窓近傍の形状等に合わせることができる。
【００３８】
また、取付片部４１を粘着テープ４５ａを介して窓下枠２４の室内側の立上片４３の室外側内面４３ａに取付けることができるので、窓用結露水受けの設置作業の簡略化を図ることができる。
【００３９】
次に図５は他の実施形態を示し、この場合の窓用結露水受け４０は、結露水下方案内片部４２の上端縁から鉛直方向に立上る立上片部５０を連設したものである。このため、室内側の障子２２との間に、上方開口状の結露水案内用の孔部を５１が設けられることになる。この場合の他の構成は前記図１に示す窓用結露水受け４０と同様であるので、同一部材には図１等と同一の符号を付してそれらの説明を省略する。
【００４０】
このため、この図５に示す窓用結露水受け４０であっても、前記図１に示す窓用結露水受け４０と同様の作用効果を奏する。特に、結露水下方案内片部４２にさらに立上片部５０を連設することによって、上方開口状の結露水案内用の孔部５１が設けられ、上方からの結露水をより安定して受けることができ、室内側への結露水の飛散防止の信頼性が向上する。しかも、この窓用結露水受け４０では、高さ寸法が大となって、窓１９とこの窓１９の室内側に配設されるカーテン（図示省略）との間に安定して配置することができ、カーテン下部への結露水の付着を有効に防止できる。なお、立上片部５０の高さ寸法としては、上方からの結露水を受けることができる範囲で任意に設定できる。
【００４１】
窓用結露水受け４０としては、前記実施形態以外に、図６に示すような種々の形状のものも採用することができる。図６（ａ）では、取付片部４１の下端縁に水平方向に延びる底壁片部５２を連設している。この底壁片部５２は、窓下枠２４の底内面の少なくとも一部（具体的には、嵌合凹所３４のガイドレール３６よりも室内側の底面３４ａ）に載置されるものである。図６（ｂ）では、底壁片部５２の先端縁にさらに小立上片部５３が設けられたものである。この小立上片部５３は嵌合凹所３４のガイドレール３６の室内側面に沿って立上がる。
【００４２】
図６（ｃ）では、立上片部５０に副脚体５５が付設されている。副脚体５５は、窓台（図示省略）に載置される載置片部５６と、立上片部５０の上端部と載置片部５６の室内側端部とを連結する連結片部５７とからなる。
【００４３】
図６（ｄ）では、立上片部５０の上端縁にさらに傾斜片部５８と立上片部５９とが連設されたものである。すなわち、図１に示す窓用結露水受け４０に図５に示す窓用結露水受け４０を付加したような形状である。
【００４４】
図６（ａ）（ｂ）（ｃ）に示すものでは、底壁片部５２を粘着テープ４５ａ等の接合手段４５を介して底面３４ａに接合するのが好ましく、図６（ｂ）に示すものでは、小立上片部５３を粘着テープ４５ａ等の接合手段４５を介してガイドレール３６に接合するのが好ましい。図６（ｃ）に示すものでは、副脚体５５の載置片部５６を粘着テープ４５ａ等の接合手段４５を介して窓台に接合するのが好ましい。
【００４５】
図６（ａ）（ｂ）（ｃ）に示すように、底壁片部５２を有するものでは、この窓用結露水受けを安定した状態で窓下枠２４に付設することができ、結露水を安定して受けることができる。特に、底壁片部５２を底面３４ａに接合することによって、より安定して窓用結露水受け４０を立設状態に保持することがきる。図６（ｃ）に示すように、副脚体５５を設けたものでは、安定した姿勢を確実に維持できる。
【００４６】
図６（ｄ）に示すものでは、結露水を受ける開口部が大きくなって、室内側への結露水の飛散防止の信頼性が向上する。しかも、この窓用結露水受け４０では、高さ寸法がより大となって、カーテン下部への結露水の付着をより有効に防止できる。
【００４７】
以上、本発明の実施形態につき説明したが、本発明は前記実施形態に限定されることなく種々の変形が可能であって、例えば、図６（ａ）（ｂ）（ｃ）に示すように、底壁片部５２を有するものにおいて、図６（ｄ）に示すように、立上片部５０の上端縁にさらに傾斜片部５８と立上片部５９とが連設されたものであってもよい。すなわち、傾斜片部や立上部としては、１個や２個に限るものではなく、３個以上であってもよい。また、窓用結露水受けの長手方向端部には、この長手方向開口部を塞ぐ蓋部材を付設するのも好ましい。
【００４８】
接合手段４５としては、粘着テープ４５ａ以外に、接着剤、粘着剤等を塗布するものであってもよい。
【００４９】
本窓用結露水受けの樹脂として、熱硬化性樹脂、熱可塑性樹脂等の種々のものを使用でき、透明であっても、種々の色彩が施されていてもよい。また、前記実施形態では、図１に示すものでは、傾斜片部４２に波型形状部４２を形成していたが、このような波型形状部４２を設けることなく、傾斜片部４２を普通の矩形状としてもよい。また、波型形状部４２以外の他の種々の形状・模様を施すことができる。なお、図５等に示すように、立上片部５０を有するもの等であれば、この立上片部５０に波型形状部４２等の模様を施すことができる。このように、種々の色彩を施したり、種々の模様を施したりすることによって、意匠的に優れたものとなって、室内装飾の一部を構成できる利点がある。また、透明であれば、窓下部の視界が遮らず、室内を明るくすることができるとともに、住人等は窓用結露水受けの存在を認識することなく過ごすことができる。
【００５０】
前記実施形態では、引き違い窓を使用したが、このような引き違い窓に限るものではなく、室内側に立上片を有する窓下枠を備えたものであれば、種々のタイプの窓に装着できる。
【図面の簡単な説明】
【００５１】
【図１】本発明の実施形態を示す窓用結露水受けを装着した状態の窓の要部簡略図である。
【図２】前記窓用結露水受けの拡大側面図である。
【図３】前記窓用結露水受けの正面図である。
【図４】前記窓の正面図である。
【図５】本発明の他の実施形態を示す窓用結露水受けを装着した状態の窓の要部簡略図である。
【図６】前記窓用結露水受けの変形例を示す簡略図である。
【図７】従来の窓用結露水受けを装着した状態の窓の要部簡略図である。
【符号の説明】
【００５２】
１９      窓
２４      窓下枠
４１      取付片部
４１ａ    室内側面
４２      結露水下方案内片部
４３      立上片
４３ａ    室外側内面
４５ａ    粘着テープ
４９      折り曲げ線
５０      立上片部
５２      底壁片部
【図１】
2009013606.tif 000003
【図２】
2009013606.tif 000004
【図３】
2009013606.tif 000005
【図４】
2009013606.tif 000006
【図５】
2009013606.tif 000007
【図６】
2009013606.tif 000008
【図７】
2009013606.tif 000009